(57)【要約】【課題】  高さ方向や幅方向への移動が規制される部位であっても、簡易な構成によって化粧板を被固定部材に簡単に固定できて、その作業性の向上と汎用性の向上を同時に図り得る化粧板固定構造を提供する。【構成】  化粧板を高さ方向もしくは幅方向への移動が規制される状態で、開口を形成する被固定部材に固定する化粧板固定構造であって、化粧板は、移動が規制される方向の一方の端部が被固定部材に嵌合部材の嵌合作用により開口前方から固定されると共に、移動が規制される方向の他方の端部が被固定部材に開口前方から固着手段により固定されることを特徴とする。前記嵌合部材は、それぞれ嵌合部を有する側面形状が同一形状に形成された第１及び第２の嵌合部材で構成され、斜め嵌め合い手段や位置決め手段が設けられる。【選択図】  図３
2005054960.tif 000002
【特許請求の範囲】
【請求項１】
化粧板を高さ方向もしくは幅方向への移動が規制される状態で、開口を形成する被固定部材に固定する化粧板固定構造であって、
前記化粧板は、移動が規制される方向の一方の端部が前記被固定部材に嵌合部材の嵌合作用により開口前方から固定されると共に、移動が規制される方向の他方の端部が被固定部材に開口前方から固着手段により固定されることを特徴とする化粧板固定構造。
【請求項２】
前記嵌合部材は、嵌合部を有し化粧板の端部に固定される第１の嵌合部材と、該第１の嵌合部材の嵌合部に嵌合する嵌合部を有し被固定部材に固定される第２の嵌合部材とで構成されることを特徴とする請求項１に記載の化粧板固定構造。
【請求項３】
前記第１の嵌合部材と第２の嵌合部材は、側面形状が同一形状に形成されて化粧板と被固定部材に逆方向に指向して固定されることを特徴とする請求項２に記載の化粧板固定構造。
【請求項４】
前記第１の嵌合部材と第２の嵌合部材は、その嵌合部の嵌合時に、化粧板を所定角度傾動させ得る斜め嵌め合い手段が設けられていることを特徴とする請求項２または３に記載の化粧板固定構造。
【請求項５】
前記斜め嵌め合い手段は、嵌合部を形成する溝の開口角度かもしくは嵌合部の弾性力であることを特徴とする請求項４に記載の化粧板固定構造。
【請求項６】
前記第１の嵌合部材と第２の嵌合部材は、その嵌合部に嵌合状態を維持する位置決め手段が設けられていることを特徴とする請求項２ないし５のいずれかに記載の化粧板固定構造。
【請求項７】
前記嵌合部材は、切断可能な長尺状に形成されていることを特徴とする請求項１ないし６のいずれかに記載の化粧板固定構造。
【発明の詳細な説明】
【技術分野】
【０００１】
本発明は、例えばシステムキッチンのキャビネット等の被固定部材に固定される化粧板の固定構造に関する。
【背景技術】
【０００２】
従来、システムキッチンにおける化粧板の固定構造としては、例えば特許文献１に開示されている。この固定構造は、図１０に示すように、化粧板１００の上部裏面に一対の係止具１０１をそれぞれ固定し、この係止具１０１をキャビネット１０２の上面に配置されたシンク１０３の凹部１０３ａに入り込ませ、化粧板１００を奥にスライド移動させることで係止具１０１をシンク１０３の垂直面に係止させると共に、化粧板１００の下部にキャビネット１０２の内側から図示しない木ネジをねじ込むことにより、化粧板１００をキャビネット１０２の側面に固定するようにしたものである。
【特許文献１】特開２００２−２３３４２５号公報
【発明の開示】
【発明が解決しようとする課題】
【０００３】
しかしながら、この固定構造においては、化粧板１００が係止具１０１を利用してキャビネット１０２（シンク１０３）の側面に固定されるものの、係止具１０１をシンク１０３に形成した凹部１０３ａに入り込ませた後に化粧板１００をキャビネット１０２の奥行き方向にスライド移動させて係止させる構成であるため、例えばキャビネット１０２の背面側が壁面に当接状態で設置される場合のように、化粧板１００をキャビネット１０２の奥行き方向に移動させることができないキャビネット１０２の設置構造では、化粧板１００の固定が困難となり、適用できる部位が制限され易く汎用性の面で劣るという問題点を有している。
【０００４】
また、化粧板１００のキャビネット１０２への固定作業が、化粧板１００の上端部において係止具１０１の凹部１０３ａへの挿入及びスライド移動が必要になると共に、化粧板１００の下端部においてキャビネット１０２内部からのねじ込み作業が必要となり、固定作業自体が面倒となって、その作業性を向上させることが困難であり、かつシンク１０３（キャビネット１０２）の側面に凹部１０３ａを形成する必要があって、その加工が面倒で固定構造自体が複雑化し易いという問題点も有している。
【０００５】
本発明は、このような事情に鑑みてなされたもので、その目的は、高さ方向や幅方向への移動が規制される部位であっても、簡易な構成によって化粧板を被固定部材に簡単に固定できて、その作業性の向上と汎用性の向上を同時に図り得る化粧板固定構造を提供することにある。
【課題を解決するための手段】
【０００６】
かかる目的を達成すべく、本発明のうち請求項１に記載の発明は、化粧板を高さ方向もしくは幅方向への移動が規制される状態で、開口を形成する被固定部材に固定する化粧板固定構造であって、前記化粧板は、移動が規制される方向の一方の端部が前記被固定部材に嵌合部材の嵌合作用により開口前方から固定されると共に、移動が規制される方向の他方の端部が被固定部材に開口前方から固着手段により固定されることを特徴とする。このように構成することにより、例えば上下方向の移動が規制された化粧板は、その上端部が嵌合部材の嵌合作用で被固定部材に固定され、その下端部は化粧板から例えばネジ（固着手段）を被固定部材にねじ込むことで固定されて、化粧板が被固定部材の開口前方から固定される。
【０００７】
そして、前記嵌合部材は、請求項２に記載の発明のように、嵌合部を有し化粧板の端部に固定される第１の嵌合部材と、該第１の嵌合部材の嵌合部に嵌合する嵌合部を有し被固定部材に固定される第２の嵌合部材とで構成されることが好ましい。この場合、前記第１の嵌合部材と第２の嵌合部材は、請求項３に記載の発明のように、側面形状が同一形状に形成されて化粧板と被固定部材に逆方向に指向して固定されることが好ましい。このように構成することにより、化粧板は、その端部に固定した第１の嵌合部材の嵌合部を、被固定部材に固定した第２の嵌合部材の嵌合部に嵌合させることで被固定部材に固定され、この時、側面形状が同一形状で逆方向に固定された両嵌合部材により、化粧板が被固定部材の開口部分に固定される。
【０００８】
また、前記第１の嵌合部材と第２の嵌合部材は、請求項４に記載の発明のように、その嵌合部の嵌合時に、化粧板を所定角度傾動させ得る斜め嵌め合い手段が設けられていることが好ましく、この場合、前記斜め嵌め合い手段は、請求項５に記載の発明のように、嵌合部を形成する溝の開口角度かもしくは嵌合部の弾性力であることが好ましい。このように構成することにより、第１の嵌合部材と第２の嵌合部材に設けられた溝の開口角度や嵌合部の弾性力からなる斜め嵌め合い手段を利用して、例えば化粧板を上下方向に斜めにした状態で、第１の嵌合部材を第２の嵌合部材に嵌合させつつ、化粧板が被固定部材に当接して固定される。
【０００９】
また、前記第１の嵌合部材と第２の嵌合部材は、請求項６に記載の発明のように、その嵌合部に嵌合状態を維持する位置決め手段が設けられていることが好ましい。このように構成することにより、化粧板の第１の嵌合部材を被固定部材の第２の嵌合部材に嵌合させた際に、両嵌合部材の嵌合状態がその位置決め手段により維持されて、化粧板が被固定部材にガタ付くことなく固定される。
【００１０】
さらに、前記嵌合部材は、請求項７に記載の発明のように、切断可能な長尺状に形成されていることが好ましい。このように構成することにより、長尺状の嵌合部材が化粧板の幅や被固定部材の形態等に応じて適正長さに切断されて使用される。
【発明の効果】
【００１１】
本発明の請求項１に記載の発明によれば、化粧板の移動が規制される方向の一方の端部が被固定部材に嵌合部材の嵌合作用により固定されると共に、化粧板の移動が規制される方向の他方の端部が被固定部材に固着手段により固定されるため、化粧板を被固定部材の開口前方から移動させつつ嵌合部材の嵌合作用と固着手段によって固定することができ、化粧板の固定作業が容易に行えると共に、嵌合部材を任意の箇所に固定できて、各種被固定部材に適用できる等、その汎用性の向上を図ることができる。
【００１２】
また、請求項２に記載の発明によれば、請求項１に記載の発明の効果に加え、嵌合部材が、嵌合部を有し化粧板の端部に固定される第１の嵌合部材と、該第１の嵌合部材の嵌合部に嵌合する嵌合部を有し被固定部材に固定される第２の嵌合部材とで構成されるため、両嵌合部材の嵌合部の嵌合作用により化粧板を被固定部材の開口部分に確実かつ安定した状態で固定することができる。
【００１３】
また、請求項３に記載の発明によれば、請求項２に記載の発明の効果に加え、第１の嵌合部材と第２の嵌合部材が、側面形状が同一形状に形成されて化粧板と被固定部材に逆方向に指向して固定されるため、化粧板の固定に同一形状の一対の嵌合部材を使用でき、両嵌合部材自体を同一の金型で作成できる等、嵌合部材をコスト安価に形成できると共に固定構造の簡素化を図ることができる。
【００１４】
また、請求項４に記載の発明によれば、請求項２または３に記載の発明の効果に加え、第１の嵌合部材と第２の嵌合部材に、その嵌合部の嵌合時に化粧板を所定角度傾動させ得る斜め嵌め合い手段が設けられているため、斜め嵌め合い手段により、化粧板を斜めの状態にしつつ両嵌合部材の嵌合部を嵌合させることができて、化粧板の開口前方からの固定作業を一層容易に行うことができる。
【００１５】
また、請求項５に記載の発明によれば、請求項４に記載の発明の効果に加え、斜め嵌め合い手段が、嵌合部を形成する溝の開口角度かもしくは嵌合部の弾性力であるため、嵌合部材の構成を簡略化して安価に形成でき、固定構造の一層の簡素化を図ることができる。
【００１６】
また、請求項６に記載の発明によれば、請求項２ないし５に記載の発明の効果に加え、第１の嵌合部材と第２の嵌合部材が、その嵌合部に嵌合状態を維持する位置決め手段が設けられているため、位置決め手段により両嵌合部材の嵌合状態が維持されて、化粧板を被固定部材の開口部分にガタ付くことなく一層安定した状態で固定することができる。
【００１７】
また、請求項７に記載の発明によれば、請求項１ないし６に記載の発明の効果に加え、嵌合部材が切断可能な長尺状に形成されているため、化粧板の幅や被固定部材の形態等に応じて、嵌合部材を適正長さに切断して使用することができ、化粧板の固定作業を一層容易に行うことができると共に、各種被固定部材に的確に対応できて、汎用性の一層の向上を図ることができる。
【発明を実施するための最良の形態】
【００１８】
以下、本発明を実施するための最良の形態を図面に基づいて詳細に説明する。
図１〜図６は、本発明に係わる化粧板固定構造の一実施形態を示し、図１が該固定構造を使用したシステムキッチンの分解斜視図、図２が化粧板の固定部分の側面図、図３が図２のＡ部を拡大した断面図、図４が嵌合部材の固定状態を示す斜視図、図５及び図６がキャビネット及び化粧板の背面図である。
【００１９】
図１において、システムキッチン１は、平面視で例えば略Ｌ字形状に形成され上面に人工大理石等からなるキッチンカウンター３（図２参照）が配置されるキャビネット２を有し、このキャビネット２は、その左右幅方向の両側面が壁４に接した状態で室内のリビングの床面上に設置されている。また、キャビネット２の調理場側となるＬ字形状の正面側２Ａには、図示しない化粧前板としての開閉扉や引き出しが配置され、キャビネット２の反調理場側（リビング側）となる背面側２Ｂの開口２ａ部分には、例えば３枚の化粧裏板５（以下、化粧板５という）が固定されている。
【００２０】
この化粧板５は、図２に示すように、その上端部５ａが一対の嵌合部材６、７によってキャビネット２の上端部に固定されると共に、その下端部５ｂに設けた蹴込み板８が皿ねじ９（固着手段）によってキャビネット２の下部に固定されている。すなわち、化粧板５の上端部５ａの裏面に嵌合部材６が固定されると共に、キャビネット２の背面側２Ｂの上部幕板１０（被固定部材）の前面に嵌合部材７が固定されている。この両嵌合部材６、７は、例えば樹脂（ＰＰ）の成形によって同一形状に形成されて、図３に示すように、平板状の固定部６ａ、７ａと、この固定部６ａ、７ａの一端部に一体形成された溝１２と先端が側面視アール形状の突条１３からなる側面視略Ｕ字形状の嵌合部６ｂ、７ｂを有している。
【００２１】
そして、固定部６ａ、７ａに形成された固定孔１４（図４参照）から、ネジ１５を化粧板５やキャビネット２の上部幕板１０にねじ込むことによって、嵌合部材６、７が化粧板５と上部幕板１０にそれぞれ固定され、この時、嵌合部材６は、その嵌合部６ｂが上方に開口（指向）する状態で化粧板５に固定され、嵌合部材７は、その嵌合部７ｂが下方に開口する状態で上部幕板１０に固定されている。これにより、両嵌合部材６、７は逆方向に指向して化粧板５と上部幕板１０に固定されていることになる。また、両嵌合部材６、７の嵌合部６ｂ、７ｂは、固定部６ａ、７ａに対して外側に徐々に拡がって開口するように形成され、その開口角度α（斜め嵌め合い手段）が５〜１０度となるように設定されている。この開口角度αによって、後述する如く化粧板５の斜め下方からの嵌め合いが可能となる。
【００２２】
なお、嵌合部材６の固定部６ａの端部は、化粧板５の上端面と略面一に設定され、嵌合部材７の嵌合部７ｂの上端部は、上部幕板１０の上端面より所定寸法下方に位置するように設定されている。これにより、両嵌合部材６、７の嵌合部６ｂ、７ｂが嵌合して化粧板５がキャビネット２に固定された際に、化粧板５と上部幕板１０の各上端面が面一状態となり、化粧板５とキャビネット２上に配置されるキッチンカウンター３の裏面（下面）に略当接状態となるように設定されている。 
【００２３】
一方、化粧板５の下端部５ｂは、図２に示すように、その裏面にネジ１６によって固定された蹴込み板８を有し、この蹴込み板８を前記皿ネジ９によってキャビネット２の下部幕板１１の前面にねじ込むことによってキャビネット２に固定されている。この時、蹴込み板８は、その前面が化粧板５の意匠と異なる例えば黒色系の塗料２４で塗装されており、この蹴込み板８が、頭部９ａが蹴込み板８の前面色と同色の塗料２４で塗装された皿ネジ９によってキャビネット２の下部幕板１１に固定されている。この頭部９ａが黒色に塗装された皿ネジ９を使用することにより、化粧板５の下端部５ｂ（蹴込み板８部分）において皿ネジ９が目立つことがなくなり、その意匠性の低下が防止されている。
【００２４】
次に、前記化粧板５のキャビネット２への固定方法の一例について説明する。先ず、嵌合部材成形用の図示しない所定の金型を使用し、ＰＰ樹脂の成形によって側面形状が嵌合部材６、７と同一形状の嵌合素材（図示せず）を成形する。この時、嵌合素材は長尺成に形成され、この嵌合素材を例えば化粧板５の幅Ｗに応じて所定長さに切断することによって、キャビネット２側の嵌合部材７と化粧板５側の嵌合部材６とが作成される。
【００２５】
すなわち、成形された長尺状の嵌合素材を切断して、図５に示すように、キャビネット２の背面側２Ｂの上部幕板１０の長さと略同一長さＬ２の嵌合部材７を作成して、その長手方向の所定位置に例えば後加工によって（もしくは成形と同時に）形成した複数個（図では４個）の固定孔１４（図４参照）からネジ１５を上部幕板１０の前面にねじ込むことにより、嵌合部材７を上部幕板１０の所定高さ位置に固定する。また、図６に示すように、長尺状の嵌合素材を短尺状の長さＬ１に切断して嵌合部材６を作成し、この嵌合部材６を化粧板５の上端部５ａ裏面の両端部の所定高さ位置にネジ１５で固定する。この嵌合部材６の化粧板５への固定も、後加工によって形成した２個の固定孔１４を利用して行う。
【００２６】
そして、図４に示すように、キャビネット２の上部幕板１０に嵌合部材７が固定され、システムキッチン１に使用される３枚の化粧板５に嵌合部材６が固定されたら、各化粧板５を、例えばキャビネット２の右側から順番に上部幕板１０と下部幕板１１にそれぞれ固定する。この時、化粧板５のキャビネット２への固定は、先ず、各化粧板５をキャビネット２の開口２ａのリビング側（以下、開口前方という）から、図３の二点鎖線で示すように、その上端部５ａがキャビネット２に近づくように化粧板５を傾斜させ、上端部５ａの嵌合部材６の嵌合部６ｂを上部幕板１０の嵌合部材７の嵌合部７ｂに斜め下方から嵌合させつつ行う。
【００２７】
つまり、傾斜させた化粧板５を、両嵌合部材６、７の嵌合部６ｂ、７ｂの開口角度αと嵌合部６ｂ、７ｂ自体の弾性力を利用しつつ、図３及び図４の矢印イの如く、キャビネット２の嵌合部材７の嵌合部７ｂに対して斜め下方から後方上部方向に押し込むことにより、化粧板５の嵌合部材６の嵌合部６ｂを、キャビネット２の嵌合部材７の嵌合部７ｂに徐々に嵌合させる。
【００２８】
両嵌合部材６、７の嵌合部６ｂ、７ｂが所定量嵌合したら、化粧板５の下端部５ｂを後方側に押して化粧板５を垂直状態にして、下端部５ｂの蹴込み板８をキャビネット２の下部幕板１１の前面に当接させ、蹴込み板８に設けた固定孔２５（図６参照）から皿ネジ９で下部幕板１１にねじ込む。これにより、化粧板５の上端部５ａが両嵌合部材６、７の嵌合部６ｂ、７ｂの嵌合作用によって上部幕板１０に固定されると共に、化粧板５の下端部５ｂが皿ネジ９によって下部幕板１１に固定され、この作業を３枚の化粧板５について順に行うことにより、キャビネット２の背面側２Ｂの開口２ｂが３枚の化粧板５で閉塞されることになる。
【００２９】
そして、この化粧板５の固定作業時に、嵌合部材６、７の使用と前方からの皿ネジ９の使用で、キャビネット２の上面にキッチンカウンター３が配置されている場合であっても、化粧板５の上下方向の移動をほとんどなくした状態で、作業空間が確保されているキャビネット２の開口２ａ前方から作業できて、化粧板５の固定作業にキッチンカウンター３が何等邪魔になることはなく、固定作業が簡単に行えることになる。
【００３０】
なお、この例では、キャビネット２の上部幕板１０にその長さと略同一長さＬ２の嵌合部材７を固定し、３枚の各化粧板５の上端部５ａ裏面で幅方向の両端部に、長さＬ１の短尺状の嵌合部材６を２つそれぞれ固定したが、本発明はこの例に限定されず、各化粧板５に該化粧板５の幅Ｗと略同一長さの嵌合部材６を１つ固定しても良いし、化粧板５の幅Ｗが大きい場合には、図６の二点鎖線で示すように、化粧板５の幅Ｗに応じて３つ以上の所定長さの嵌合部材６を固定しても良い。また、化粧板５にその幅Ｗと略同一の長尺状の嵌合部材６を固定し、キャビネット２の上部幕板１０に短尺状の複数の嵌合部材７を固定するようにしても良く、嵌合部材６、７の長さＬ１、Ｌ２や使用する個数は、キャビネット２の形態、化粧板５の幅Ｗや使用枚数等に応じて適宜に設定することができる。
【００３１】
このように、上記実施形態の化粧板５の固定構造にあっては、化粧板５の上端部５ａにおける嵌合部材６と嵌合部材７の嵌合作用及び化粧板５の下端部５ｂにおける固着手段としての皿ネジ９の使用によって、化粧板８がキャビネット２に固定されるため、化粧板５の上下方向の移動が規制される状態でも、キャビネット２の開口２ａ前方からの押し込み操作で化粧板５をキャビネット２の開口２ａ部分に固定でき、従来のような化粧板５の押し込みとスライド移動操作が不要となる。
【００３２】
特に、化粧板５の上端部５ａが嵌合部材６、７の嵌合部６ｂ、７ｂの嵌合作用によって固定されるため、上端部５ａのねじ込み作業が不要になると共に、下端部５ｂの固定作業も開口２ａ前方からのねじ込み作業で行うことができる。また、嵌合部材６、７の嵌合部６ｂ、７ｂに開口角度αが設定されると共に、その弾性力及び突条１３先端のアール形状を利用して両嵌合部材６、７を嵌合できるため、嵌合部材６、７に設けられるこれらの斜め嵌め合い手段を利用しつつ、化粧板５の固定時に化粧板５を斜めの状態としてスムーズに嵌合させて固定できると共に、化粧板５を取り外す場合も同様にして行うことができる。これらにより、上下方向への移動が規制される化粧板５であっても、キャビネット２への固定作業が容易に行えると共に、例えば交換等のメンテンス作業も容易に行うことが可能となる。
【００３３】
また、化粧板５の下端部５ｂを固定する固着手段として、頭部９ａが化粧板５の下端部５ｂに設けられる蹴込み板８と同色に塗装された皿ネジ９が使用されるため、化粧板５の固定状態において皿ネジ９が前方から使用者に明瞭に視認されるのを防止でき、キャビネット２に固定される化粧板５の意匠性の低下を抑えることができて、システムキッチン１のリビング側に露出する化粧板５でも良好に適用できる。
【００３４】
また、化粧板５や上部幕板１０に固定される嵌合部材６、７が、樹脂成形によって側面形状がそれぞれ同一形状に形成されているため、両嵌合部材６、７を同一金型で製造できて、コスト安価な嵌合部材６、７を得ることができる。特に、化粧板５に固定される一方の嵌合部材６として短尺状の嵌合部材６を使用することにより、嵌合部材６、７自体の材料使用量を抑えることができて、部材の一層のコストダウンを図ることが可能となる。
【００３５】
さらに、予め長尺状に成形された嵌合素材を所定長さに切断することによって個々の嵌合部材６、７が作成されるため、嵌合部材６、７を簡単に作成することができると共に、例えば施工状態（キャビネット２の設置状態）に応じた嵌合部材６、７の作成が極めて容易に行える。また、嵌合部材６、７の長さを適宜に設定できるため、所定長さの嵌合部材６、７をキャビネット２や化粧板５の所定位置に固定して化粧板５を固定でき、各種形態のキャビネット２や化粧板５に的確に対応できて、その汎用性の向上を図ることが可能となる。
【００３６】
図７と図８は、前記嵌合部材の変形例をそれぞれ示す図３と同様の断面図である。以下、上記例と同一部位には同一符号を付して説明する。先ず、図７に示す嵌合部材６、７の特徴は、樹脂成形によって固定部６ａ、７ａに一体形成される嵌合部６ｂ、７ｂに、突条１３が密に嵌合する一定幅の位置決め溝１７（位置決め手段）を形成した点にある。すなわち、嵌合部６ｂ、７ｂの突条１３の先端を固定部６ａ、７ａと平行となるように突出させると共に、開口側が幅広に形成された溝１２の底部に突条１３の先端の幅と略同一幅の位置決め溝１７を形成する。そして、両嵌合部材６、７の嵌合部６ｂ、７ｂが嵌合した際に、各突条１３の先端が相手側の嵌合部６ｂ、７ｂの位置決め溝１７にそれぞれ嵌合した状態となり、突条１３の幅方向（突条１３の板厚方向）への移動が規制されるようになっている。
【００３７】
この嵌合部材６、７も、側面形状が互いに同一形状に形成されて化粧板５の上端部５ａ裏面とキャビネット２の上部前板１０に逆方向に指向して固定され、互いの突条１３が嵌合部６ｂ、７ｂの溝１３の幅広な部分から進入して位置決め溝１７にそれぞれ嵌合される。この嵌合部材６、７によれば、嵌合部６ｂ、７ｂの溝１２の幅広部分を利用して両嵌合部材６、７を嵌合させることができて、この上記例と同様の作用効果が得られる他に、溝１２の底部に位置決め溝１７が設けられているため、両嵌合部材６、７の完全嵌合状態において、突条１３の幅方向への移動が規制され、化粧板５をキャビネット２へ固定した際に、そのガタつきの発生が確実に防止されて、化粧板５の良好な固定状態が得られる等の作用効果を奏することができる。
【００３８】
また、図８に示す嵌合部材６、７の特徴は、嵌合部材６、７の嵌合部６ｂ、７ｂの突条１３の先端部分に、内側に円弧状に突出した凸部１８（もしくは凸条）を形成し、両嵌合部材６、７を嵌合した際に、両凸部１８が係合するようにした点にある。すなわち、嵌合部材６、７をバネ性を有する金属板の加工もしくは樹脂成形によって、嵌合部６ｂ、７ｂの突条１３の先端部分に凸部１８を形成すると共に、嵌合部６ｂ、７ｂ（凸部１８）が図の二点鎖線で示す矢印ロ方向に変形可能に形成する。そして、両嵌合部材６、７の突条１３の弾性力（嵌め合い手段）を利用して、化粧板５の嵌合部材６の嵌合部６ｂをキャビネット２の嵌合部材７の嵌合部７ｂに嵌合させることにより、凸部１８の弾性力とその凹凸形状による係止によって両嵌合部材６、７が固定状態とされるようになっている。
【００３９】
この嵌合部材６、７によれば、嵌合部６ｂ、７ｂの突条１３自体の弾性力と凸部１８による凹凸形状で互いの抜けが防止されるため、安定した固定状態が容易に得られる。また、両嵌合部材６、７の突条１３を若干係止させた状態で、後は突条１３の弾性変形を利用して嵌合させることができ、化粧板５の固定作業が一層容易に行えると共に、嵌合部材６、７を例えば金属板の加工によって作成すれば、嵌合部材６、７を一層安価に形成できる等の作用効果を奏することができる。
【００４０】
このように、本発明に係わる嵌合部材６、７は、その材質として弾性を有する材料を使用することにより、各嵌合部材６、７に斜め嵌め合い手段を簡単に付与できて、例えば図７の嵌合部材６、７を矢印ハ方向の変形可能に形成することもできるし、嵌合部材６、７の特に嵌合部６、７ｂの形状も、キャビネット２の形態や、化粧板５の大きさ、重量等に応じて、適宜の形状や材質を採用することができる。
【００４１】
図９は、本発明に係わる化粧板の固定構造の他の実施形態を示す断面図である。この実施形態の固定構造の特徴は、化粧板５をキャビネット２の天板２ｂ上面と天井１９との間に配置するようにした点にある。すなわち、キャビネット２の天板２ｂの上面の所定位置に下部固定板２０もしくは固定ブロック（被固定部材）を固定すると共に、この下部固定板２０の上方の天井１９に上部固定板２１もしくは固定ブロック（被固定部材）を固定する。
【００４２】
そして、上部固定板２１の前面に嵌合部材７を固定すると共に、化粧板８の上端部５ａ裏面に嵌合部材６を固定し、上記実施形態と同様に、化粧板５の嵌合部材６の嵌合部６ｂを上部固定板２１の嵌合部材７の嵌合部７ｂに斜め下方から嵌合させ、化粧板５の下端部５ｂを下部固定板２０に、例えば頭部９ａが化粧板５の表面色と同色に塗装された皿ネジ９で直接固定する。これにより、上下の固定板２０、２１で形成されるキャビネット２上方の開口２２部分を化粧板５で閉塞することができる。この実施形態においても、化粧板５の上端部５ａを嵌合部材６、７の嵌合作用で上部固定板２１に固定できると共に、その下端部５ｂを開口２２前方から皿ネジ９で下部固定板２０に固定できて、上記実施形態と略同様の作用効果を得ることができる。
【００４３】
この実施形態においては、例えば化粧板５の下端部５ｂの下部固定板２０への固定構造として、図の二点鎖線で示すように、皿ネジ９に代えて布製ファスナー２３を使用しても良く、この布製ファスナー２３の場合は、化粧板５の前面に固着手段を露出させることがなくなり、化粧板５の意匠的価値の低下を確実に防止することができると共に、化粧板５の開口２２からの取り外しも容易となって、開口２２内部（すなわちキャビネット２の天板２ｂ上部）を収納棚として使用できるという作用効果を得ることもできる。また、この実施形態においては、化粧板５の下端部５ｂを嵌合部材６、７で固定し、化粧板５の上端部５ａを固着手段で固着する構造を採用することもできるし、キャビネット５の下端部やキャビネット２の底板下面と床面との間に化粧板５を固定する構造等にも適用することができる。
【００４４】
なお、上記各実施形態においては、化粧板５の上下方向の移動が規制される状態で、化粧板５を被固定部材としてのキャビネット２や固定板２０、２１に固定する場合について説明したが、本発明はこれに限定されず、例えば化粧板５の幅Ｗ方向の移動が壁４で規制された場合の固定構造にも適用でき、この場合は、嵌合部材６、７を壁４側に上下方向に指向させて設ければ良い。
【００４５】
また、上記各実施形態においては、化粧板５の一方の端部を固定する固着手段として皿ネジ９や布製ファスナー２３を使用したが、化粧板５の固定位置によっては適宜のクランプ部材や接着剤、磁石等の固着手段を使用することもできる。さらに、上記各実施形態においては、一対の嵌合部材６、７を同一形状に形成したが、例えば化粧板５と被固定部材側を異なる形状に形成しても良いし、キャビネットや被固定部材の形状等も一例であって、本発明に係わる各発明の要旨を逸脱しない範囲において適宜に変更することができる。
【産業上の利用可能性】
【００４６】
本発明は、システムキッチンの各種キャビネットの他に、洗面化粧台の上部収納棚、玄関収納棚あるいは室内の適宜位置に設置される各種収納棚等における化粧板の被固定部材への固定に適用できる。
【図面の簡単な説明】
【００４７】
【図１】本発明に係わる化粧板固定構造を採用したシステムキッチンの分解斜視図
【図２】同化粧板の固定部分の側面図
【図３】同図２のＡ部を拡大した断面図
【図４】同嵌合部材の固定状態を示す斜視図
【図５】同キャビネットの背面図
【図６】同化粧板の背面図
【図７】同嵌合部材の変形例を示す図３と同様の断面図
【図８】同嵌合部材の他の変形例を示す図３と同様の断面図
【図９】本発明に係わる化粧板固定構造の他の実施形態を示す断面図
【図１０】従来の化粧板の固定構造を示す斜視図
【符号の説明】
【００４８】
１・・・・・・・・システムキッチン
２・・・・・・・・キャビネット
２Ｂ・・・・・・・背面側
２ａ・・・・・・・開口
２ｂ・・・・・・・天板
３・・・・・・・・キッチンカウンター
４・・・・・・・・壁
５・・・・・・・・化粧板
５ａ・・・・・・・上端部
５ｂ・・・・・・・下端部
６、７・・・・・・嵌合部材
６ａ、７ａ・・・・固定部
６ｂ、７ｂ・・・・嵌合部
８・・・・・・・・蹴込み板
９・・・・・・・・皿ネジ
９ａ・・・・・・・頭部
１０・・・・・・・上部幕板
１１・・・・・・・下部幕板
１２・・・・・・・溝
１３・・・・・・・突条
１７・・・・・・・位置決め溝
１８・・・・・・・凸部
１９・・・・・・・天井
２０・・・・・・・下部固定板
２１・・・・・・・上部固定板
２２・・・・・・・開口
２３・・・・・・・布製ファスナー
【図１】
2005054960.tif 000003
【図２】
2005054960.tif 000004
【図３】
2005054960.tif 000005
【図４】
2005054960.tif 000006
【図５】
2005054960.tif 000007
【図６】
2005054960.tif 000008
【図７】
2005054960.tif 000009
【図８】
2005054960.tif 000010
【図９】
2005054960.tif 000011
【図１０】
2005054960.tif 000012